(57)【要約】      （修正有）【課題】放射性セシウムが付着した土壌及び椎茸を栽培するために伐った椎・栗・櫟（くぬぎ）等の幹からなるほだ木から放射性物質を過度な加湿や圧力などを与えず，低負荷ではぎ取ることを可能とした放射性物質の除染方法を提供する。【解決手段】放射性セシウムが付着した土壌及びほだ木に対して，木，竹，又は草，又は野菜屑，又は落葉落枝の未分解の有機物を，炭の製造過程で産出される極強酸性の有機酸である木酢液又は竹酢液に漬け込み，養生することによって製造されるフルボ酸を希釈した溶液に浸潤させる。【選択図】図１
2018004386.tif 000002
【特許請求の範囲】
【請求項１】
放射性セシウムが付着した土壌及びほだ木に対して，木，竹，又は草，又は野菜屑，又は落葉落枝の未分解の有機物を，炭の製造過程で産出される極強酸性の有機酸である木酢液又は竹酢液に漬け込み，養生することによって製造されるフルボ酸を希釈した溶液に浸潤させることにより，放射性セシウムを過度な加湿や圧力などを与えず，低負荷ではぎ取ることを可能としたフルボ酸を利用したことを特徴とする放射性物質の除染方法。
【請求項２】
放射性セシウムが付着した土壌及びほだ木に対して，木，竹，又は草，又は野菜屑，又は落葉落枝の未分解の有機物を，炭の製造過程で産出される極強酸性の有機酸である木酢液又は竹酢液に漬け込み，養生することによって製造されるフルボ酸を希釈した溶液に浸潤させることにより，汚染された放射性セシウムが付着した土壌及びほだ木を無害化できることを可能としたことを特徴とするフルボ酸を利用した放射性物質の除染方法。
【請求項３】
放射性セシウムが付着した土壌及びほだ木に対して，木，竹，又は草，又は野菜屑，又は落葉落枝の未分解の有機物を，炭の製造過程で産出される極強酸性の有機酸である木酢液又は竹酢液に漬け込み，養生することによって製造されるフルボ酸を希釈した溶液に浸潤させることにより，汚染された放射性セシウムが付着した土壌及びほだ木を除染することで再利用できることを可能としたことを特徴とするフルボ酸を利用した放射性物質の除染方法。
【請求項４】
放射性セシウムが付着した土壌及びほだ木に対して，木，竹，又は草，又は野菜屑，又は落葉落枝の未分解の有機物を，炭の製造過程で産出される極強酸性の有機酸である木酢液又は竹酢液に漬け込み，養生することによって製造されるフルボ酸を希釈した溶液に浸潤させることで出てくる汚染水を土壌よりも体積の小さいゼオライト，バーク堆肥，爆砕チップに浸み込ませることで減容化できることを可能としたことを特徴とするフルボ酸を利用した放射性物質の除染方法。
【請求項５】
放射性セシウムが付着した土壌及びほだ木に対して，木，竹，又は草，又は野菜屑，又は落葉落枝の未分解の有機物を，炭の製造過程で産出される極強酸性の有機酸である木酢液又は竹酢液に漬け込み，養生することによって製造されるフルボ酸を希釈した溶液を広範囲に散布することで放射性セシウムを表層の不安層から下層の安定層へと移行できることを可能としたことを特徴とするフルボ酸を利用した放射性物質の除染方法。
【請求項６】
放射性セシウムが付着した土壌及びほだ木に対して，木，竹，又は草，又は野菜屑，又は落葉落枝の未分解の有機物を，炭の製造過程で産出される極強酸性の有機酸である木酢液又は竹酢液に漬け込み，養生することによって製造されるフルボ酸を希釈した溶液に汚染されたシイタケ原木を浸潤することで，植菌したキノコ類の菌糸が表面近くを張って放射性セシウムを吸収することを抑制できることを可能としたことを特徴とするフルボ酸を利用した放射性物質の除染方法。
【請求項７】
放射性セシウムが付着した土壌及びほだ木に対して，木，竹，又は草，又は野菜屑，又は落葉落枝の未分解の有機物を，炭の製造過程で産出される極強酸性の有機酸である木酢液又は竹酢液に漬け込み，養生することによって製造されるフルボ酸を希釈した溶液に浸潤させることにより，付着した放射性セシウムを抽出・分離する過程において，フルボ酸を製造するのに使用する未分解の有機物を木酢液又は竹酢液に漬け込み，養生する時間は５時間以上としたことを特徴とするフルボ酸を利用した放射性物質の除染方法。
【請求項８】
放射性セシウムが付着した土壌及びほだ木に対して，木，竹，又は草，又は野菜屑，又は落葉落枝の未分解の有機物を，炭の製造過程で産出される極強酸性の有機酸である木酢液又は竹酢液に漬け込み，養生することによって製造されるフルボ酸を希釈した溶液に浸潤させることにより，付着した放射性セシウムを抽出・分離する過程において，浸潤させるフルボ酸の希釈率は浸潤性を高める為に２倍以上としたことを特徴とするフルボ酸を利用した放射性物質の除染方法。
【請求項９】
放射性セシウムが付着した土壌及びほだ木に対して，木，竹，又は草，又は野菜屑，又は落葉落枝の未分解の有機物を，炭の製造過程で産出される極強酸性の有機酸である木酢液又は竹酢液に漬け込み，養生することによって製造されるフルボ酸を希釈した溶液に浸潤させることにより，付着した放射性セシウムを抽出・分離する過程において，放射性セシウムが付着した土壌及びほだ木を浸潤させる時間は５時間以上とするフルボ酸を利用したことを特徴とする放射性物質の除染方法。
【請求項１０】
放射性セシウムが付着した土壌及びほだ木を含む樹木に対して，木，竹，又は草，又は野菜屑，又は落葉落枝の未分解の有機物を，炭の製造過程で産出される極強酸性の有機酸である木酢液又は竹酢液に漬け込み，養生することによって製造されるフルボ酸を希釈した溶液に浸潤させることにより，付着した放射性セシウムを抽出・分離する過程において，フルボ酸を製造するのに使用する木酢液又は竹酢液は，水分が８０％以上，有機酸含有量が１％以上の資材を用いるようにしたことを特徴とするフルボ酸を利用した放射性物質の除染方法。
【請求項１１】
放射性セシウムが付着した土壌及びほだ木に対して，木，竹，又は草，又は野菜屑，又は落葉落枝の未分解の有機物を，炭の製造過程で産出される極強酸性の有機酸である木酢液又は竹酢液に漬け込み，養生することによって製造されるフルボ酸を希釈した溶液に浸潤させることにより，付着した放射性セシウムを抽出・分離する過程において，フルボ酸を製造するのに使用する木酢液又は竹酢液をｐＨ(Ｈ2Ｏ)５.０以下で電気伝導度が１.０ｍＳ／ｃｍ以上のものを用いるようにしたフルボ酸を利用した放射性物質の除染方法。
【請求項１２】
放射性セシウムが付着した土壌及びほだ木に対して，木，竹，又は草，又は野菜屑，又は落葉落枝の未分解の有機物を，炭の製造過程で産出される極強酸性の有機酸である木酢液又は竹酢液に漬け込み，養生することによって製造されるフルボ酸を希釈した溶液に浸潤させることにより，付着した放射性セシウムを抽出・分離する過程において，フルボ酸を製造するのに使用する木酢液又は竹酢液を粒径がφ＝１ｍｍ以下の固形物しか含まれていないものを用いるようにしたことを特徴とするフルボ酸を利用した放射性物質の除染方法。
【請求項１３】
放射性セシウムが付着した土壌及びほだ木に対して，木，竹，又は草，又は野菜屑，又は落葉落枝の未分解の有機物を，炭の製造過程で産出される極強酸性の有機酸である木酢液又は竹酢液に漬け込み，養生することによって製造されるフルボ酸を希釈した溶液に浸潤させることにより，付着した放射性セシウムを抽出・分離する過程において，フルボ酸を製造するのに使用する木酢液又は竹酢液に漬け込み，養生する時間は５時間以上とするようにしたことを特徴とするフルボ酸を利用した放射性物質の除染方法。
【発明の詳細な説明】
【技術分野】
【０００１】
本発明は，東京電力福島第一原子力発電所の事故により，周辺環境に飛散した放射性セシウムが付着した土壌及び椎茸の栽培のほだ木に対して，木，竹，又は草，又は野菜屑，又は落葉落枝の未分解の有機物を，炭の製造過程で産出される極強酸性の有機酸である木酢液又は竹酢液に漬け込み，養生することによって製造されるフルボ酸を希釈した溶液に浸潤させることにより，放射性セシウムを過度な加湿や圧力などを与えず，低負荷ではぎ取ることを可能としたものである。
【背景技術】
【０００２】
東京電力福島第一原子力発電所の事故により，周辺環境に飛散した放射性セシウムが付着した土壌及び椎茸を栽培するために伐った椎・栗・櫟（くぬぎ）等の幹からなる所定長さ（通常は、例えば９０〜１００ｃｍ）のほだ木の除染には，二つの工程が必要になる。先ず，第１に，土壌から放射性物質を引きはがし（剥離），第２に，引きはがした放射性物質をもともとの土壌よりも体積の小さい吸着剤に吸着させる（減容化），といった方法が現在において最も有効な手段とされている。上記の第１については，放射性物質（放射性セシウム等）を土壌から取り出す為には，極々強酸性の硝酸や硫酸といった無機酸を用いることになる。しかし，放射性物質（放射性セシウム等）は土壌に含まれている鉱物によって剥離の難度が異なる。層状ケイ酸塩鉱物の表面に電気的に吸着している形態の放射性セシウムは比較的に剥離できるが，層状ケイ酸塩鉱物を構成するカリウムを置換する形で構造物に取り込まれた形態の放射性セシウムの場合，その結合は強固であり，抽出には層状ケイ酸塩鉱物の構造を破壊するほどの負荷（高温，高圧など）を与える必要がある。
また，比較的容易に抽出できる形態であっても，放射性セシウムに比べ層状ケイ酸塩鉱物に電気的に吸着し易いアンモニウムイオン等を付加する方法を用いるため，副次的に放射性セシウム以外の陽イオンも大量に抽出されため，植物の生育に有用な肥料分も溶脱してしまうのと同時に，抽出に用いられる溶液は低いｐＨのため，土壌中の微生物の多くは死滅し，また土壌に大量にあるＡｌ（アルミニウム）が溶脱することで，抽出後の土壌は植物の生育に悪影響を及ぼす可能性がある。以上のように処理後の土壌の再利用についても問題が多くなっている。
【先行技術文献】
【特許文献】
【０００３】
【特許文献１】特開２０１３−１９５３８６号公開公報
【特許文献２】実用新案登録第３１８７１５９号公報
【０００４】
上記特許文献１は，放射線物質により汚染された構造物の効果的な洗浄を行い，洗浄後の汚染の再拡散を防止する方法の提供についての発明である。
そして，放射性物質による汚染構造物の除染方法において，フルボ酸，無機酸のカリウム塩もしくはアンモニウム塩及び界面活性剤を含む洗浄水を除染対象物に散布もしくは放水し，洗浄する段階と前記除染対象物に散布もしくは放水して洗浄した後の洗浄廃水を回収する段階と，前記洗浄廃水中に含まれる放射性物質を凝集沈殿させる段階と，前記凝集沈殿物を固液分離する段階と，前記分離した凝集沈殿物を保管容器に格納する段階とを有する構成である。
【０００５】
上記特許文献１は，放射線物質で汚染されたものを洗浄する洗浄水にフルボ酸を用いる点は関連するように考えられるが，特許文献１では，舗装道路，建築物，家屋，排水溝，アスファルト，コンクリート敷きの敷地に洗浄水を散布もしくは放水し洗浄することによる除染方法である。一方，本発明では土壌中で層状ケイ酸塩鉱物を構成するカリウムを置換する形で構造物に取り込まれた形態で土壌に強固に結合している放射性セシウムを木，竹，又は草，又は野菜屑，又は落葉落枝の未分解の有機物を，炭の製造過程で産出される極強酸性の有機酸である木酢液又は竹酢液に漬け込み，養生することによって製造されるフルボ酸を希釈した溶液に浸潤させることにより，放射性セシウムを過度な加湿や圧力などを与えず，低負荷ではぎ取ることを可能としていることから目的及び構成が異なる。
【０００６】
特許文献２は，放射性物質による汚染構造物の除染装置の効果的な洗浄を行い，洗浄後の汚染の再拡散を防止する装置に関する。
そして，放射性物質による汚染構造物の除染装置において，フルボ酸，無機酸のカリウム塩もしくはアンモニウム塩及び界面活性剤を含むか，又はこれらの化合物を含まない洗浄水を除染対象物に散布もしくは放水し，洗浄する放水手段と，前記除染対象物に散布もしくは放水して洗浄した後の洗浄廃水を回収する回収手段と，前記洗浄廃水中に含まれる放射性物質を凝集沈殿させ，凝集沈殿物を生成させる凝集沈殿手段と、前記凝集沈殿物を固液分離する固液分離手段と，分離した前記凝集沈殿物を保管容器に格納する格納手段とを有する構成である。
【０００７】
上記特許文献２は，放射性物質による汚染構造物の除染する洗浄水にフルボ酸を用いる点は関連するように考えられるが，特許文献１では，舗装道路，建築物，家屋，排水溝，アスファルト，コンクリート敷きの敷地に洗浄水を散布もしくは放水し洗浄することによる除染方法である。一方，本発明では土壌中で層状ケイ酸塩鉱物を構成するカリウムを置換する形で構造物に取り込まれた形態で土壌に強固に結合している放射性セシウムを木，竹，又は草，又は野菜屑，又は落葉落枝の未分解の有機物を，炭の製造過程で産出される極強酸性の有機酸である木酢液又は竹酢液に漬け込み，養生することによって製造されるフルボ酸を希釈した溶液に浸潤させることにより，放射性セシウムを過度な加湿や圧力などを与えず，低負荷ではぎ取ることを可能としていることから目的及び構成が異なる。
【発明の概要】
【発明が解決しようとする課題】
【０００８】
そこで，本発明では，放射性セシウムが付着した土壌及びシイタケのほだ木を含む樹木に対して，木，竹，又は草，又は野菜屑，又は落葉落枝の未分解の有機物を炭の製造過程で産出される極強酸性の有機酸である木酢液又は竹酢液に漬け込み，養生することによって製造されるフルボ酸を希釈した溶液に浸潤させることにより，付着した放射性セシウムを抽出・分離することを可能としたものである。また，フルボ酸自体が植物活性剤や土壌の団粒化等の効果があることから，除染処理後の土壌や樹木の再利用も可能としている。
【課題を解決するための手段】
【０００９】
本発明の第１は，フルボ酸を利用した放射性物質の除染方法において，放射性セシウムが付着した土壌及び椎茸を栽培するために伐った椎・栗・櫟（くぬぎ）等の幹からなるほだ木（以下、単に「ほだ木」という。）に対して，木，竹，又は草，又は野菜屑，又は落葉落枝の未分解の有機物を，炭の製造過程で産出される極強酸性の有機酸である木酢液又は竹酢液に漬け込み，養生することによって製造されるフルボ酸を希釈した溶液に浸潤させることにより，付着した放射性セシウムを抽出・分離できるようにしたものである。
【００１０】
本発明の第２は，フルボ酸を利用した放射性物質の除染方法において，放射性セシウムが付着した土壌及びほだ木に対して，木，竹，又は草，又は野菜屑，又は落葉落枝の未分解の有機物を，炭の製造過程で産出される極強酸性の有機酸である木酢液又は竹酢液に漬け込み，養生することによって製造されるフルボ酸を希釈した溶液に浸潤させることにより，汚染された放射性セシウムが付着した土壌及びほだ木を無害化できるようにしたものである。
【００１１】
本発明の第３は，フルボ酸を利用した放射性物質の除染方法において，放射性セシウムが付着した土壌及びほだ木を含む樹木に対して，木，竹，又は草，又は野菜屑，又は落葉落枝の未分解の有機物を，炭の製造過程で産出される極強酸性の有機酸である木酢液又は竹酢液に漬け込み，養生することによって製造されるフルボ酸を希釈した溶液に浸潤させることにより，汚染された放射性セシウムが付着した土壌及びほだ木を除染することで再利用できるようにしたものである。
【００１２】
本発明の第４は，フルボ酸を利用した放射性物質の除染方法において，放射性セシウムが付着した土壌及びほだ木に対して，木，竹，又は草，又は野菜屑，又は落葉落枝の未分解の有機物を，炭の製造過程で産出される極強酸性の有機酸である木酢液又は竹酢液に漬け込み，養生することによって製造されるフルボ酸を希釈した溶液に浸潤させることで出てくる汚染水を土壌よりも体積の小さいゼオライト，バーク堆肥，爆砕チップに浸み込ませることで減容化できるようにしたものである。
【００１３】
本発明の第５は，フルボ酸を利用した放射性物質の除染方法において，放射性セシウムが付着した土壌及びほだ木に対して，木，竹，又は草，又は野菜屑，又は落葉落枝の未分解の有機物を，炭の製造過程で産出される極強酸性の有機酸である木酢液又は竹酢液に漬け込み，養生することによって製造されるフルボ酸を希釈した溶液を広範囲に散布することで放射性セシウムを表層の不安層から下層の安定層へと移行できるようにしたものである。
【００１４】
本発明の第６は，フルボ酸を利用した放射性物質の除染方法において，放射性セシウムが付着した土壌及びほだ木に対して，木，竹，又は草，又は野菜屑，又は落葉落枝の未分解の有機物を炭の製造過程で産出される極強酸性の有機酸である木酢液又は竹酢液に漬け込み，養生することによって製造されるフルボ酸を希釈した溶液に汚染されたシイタケの原木を浸潤することで，植菌したキノコ類の菌糸が表面近くを張って放射性セシウムを吸収することを抑制できるようにしたものである。
【００１５】
本発明の第７は，フルボ酸を利用した放射性物質の除染方法において，放射性セシウムが付着した土壌及びほだ木に対して，木，竹，又は草，又は野菜屑，又は落葉落枝の未分解の有機物を炭の製造過程で産出される極強酸性の有機酸である木酢液又は竹酢液に漬け込み，養生することによって製造されるフルボ酸を希釈した溶液に浸潤させることにより，付着した放射性セシウムを抽出・分離する過程において，フルボ酸を製造するのに使用する未分解の有機物を木酢液又は竹酢液に漬け込み，養生する時間は５時間以上としたものを用いるようにしたものである。
【００１６】
本発明の第８は，フルボ酸を利用した放射性物質の除染方法において，放射性セシウムが付着した土壌及びほだ木に対して，木，竹，又は草，又は野菜屑，又は落葉落枝の未分解の有機物を，炭の製造過程で産出される極強酸性の有機酸である木酢液又は竹酢液に漬け込み，養生することによって製造されるフルボ酸を希釈した溶液に浸潤させることにより，付着した放射性セシウムを抽出・分離する過程において，浸潤させるフルボ酸の希釈率は浸潤性を高めるために２倍以上とするようにしたものである。
【００１７】
本発明の第９は，フルボ酸を利用した放射性物質の除染方法において，放射性セシウムが付着した土壌及びほだ木に対して，木，竹，又は草，又は野菜屑，又は落葉落枝の未分解の有機物を，炭の製造過程で産出される極強酸性の有機酸である木酢液又は竹酢液に漬け込み，養生することによって製造されるフルボ酸を希釈した溶液に浸潤させることにより，付着した放射性セシウムを抽出・分離する過程において，放射性セシウムが付着した土壌及びほだ木を浸潤させる時間は５時間以上とするようにしたものである。
【００１８】
本発明の第１０は，フルボ酸を利用した放射性物質の除染方法において，放射性セシウムが付着した土壌及びのほだ木に対して，木，竹，又は草，又は野菜屑，又は落葉落枝の未分解の有機物を，炭の製造過程で産出される極強酸性の有機酸である木酢液又は竹酢液に漬け込み，養生することによって製造されるフルボ酸を希釈した溶液に浸潤させることにより，付着した放射性セシウムを抽出・分離する過程において，フルボ酸を製造するのに使用する木酢液又は竹酢液は，水分が８０％以上，有機酸含有量が１％以上の資材を用いるようにしたものである。
【００１９】
本発明の第１１は，フルボ酸を利用した放射性物質の除染方法において，放射性セシウムが付着した土壌及びほだ木に対して，木，竹，又は草，又は野菜屑，又は落葉落枝の未分解の有機物を，炭の製造過程で産出される極強酸性の有機酸である木酢液又は竹酢液に漬け込み，養生することによって製造されるフルボ酸を希釈した溶液に浸潤させることにより，付着した放射性セシウムを抽出・分離する過程において，フルボ酸を製造するのに使用する木酢液又は竹酢液をｐＨ(Ｈ2Ｏ)５.０以下で電気伝導度が１.０ｍＳ／ｃｍ以上のものを用いるようにしたものである。
【００２０】
本発明の第１２は，フルボ酸を利用した放射性物質の除染方法において，放射性セシウムが付着した土壌及びほだ木に対して，木，竹，又は草，又は野菜屑，又は落葉落枝の未分解の有機物を，炭の製造過程で産出される極強酸性の有機酸である木酢液又は竹酢液に漬け込み，養生することによって製造されるフルボ酸を希釈した溶液に浸潤させることにより，付着した放射性セシウムを抽出・分離する過程において，フルボ酸を製造するのに使用する木酢液又は竹酢液を粒径が１ｍｍ以下の固形物しか含まれていないものを用いるようにしたものである。
【００２１】
本発明の第１３は，フルボ酸を利用した放射性物質の除染方法において，放射性セシウムが付着した土壌及びほだ木に対して，木，竹，又は草，又は野菜屑，又は落葉落枝の未分解の有機物，を炭の製造過程で産出される極強酸性の有機酸である木酢液又は竹酢液に漬け込み，養生することによって製造されるフルボ酸を希釈した溶液に浸潤させることにより，付着した放射性セシウムを抽出・分離する過程において，フルボ酸を製造するのに使用する木酢液又は竹酢液に漬け込み，養生する時間は５時間以上とするようにしたものである。
【発明の効果】
【００２２】
本発明は下記の構成であるから，次の効果がある。木，竹，又は草，又は野菜屑，又は落葉落枝の未分解の有機物を炭の製造過程で産出される極強酸性の有機酸である木酢液又は竹酢液に漬け込み，養生することによって製造されるフルボ酸を希釈した溶液に放射性セシウムが付着した土壌及びほだ木を浸潤させることにより，付着した放射性セシウムを抽出・分離することが可能となった。
土壌からの抽出・分離の確認は，放射能濃度測定システム（ＥＭＦ２１１[１００−２Ｌ−ＣＢ]）型ガンマ線スペクトロメーターによって確認した。
【００２３】
また，本発明にあっては，放射性セシウムが付着した土壌及びほだ木に対して，木，竹，又は草，又は野菜屑，又は落葉落枝の未分解の有機物を炭の製造過程で産出される極強酸性の有機酸である木酢液又は竹酢液に漬け込み，養生することによって製造されるフルボ酸を希釈した溶液に浸潤させることにより，付着した放射性セシウムを抽出・分離できることから，環境負荷を与えずに除染土壌の再利用が可能となり，フルボ酸によって抽出・分離した放射性セシウムは，各種の吸着剤への移行が容易であることからの放射性セシウム管理が容易となる。
【図面の簡単な説明】
【００２４】
【図１】本発明の実施工程を示す概略説明図である。
【図２】容器に収容した汚染土壌のフルボ酸溶液を散布している状態を示す斜視図である。
【図３】フルボ酸溶液の中に放射性セシウムで汚染されたほだ木を浸漬した容器の斜視図である。
【発明を実施するための形態】
【００２５】
本発明に係るフルボ酸を利用した放射性セシウムの除染手法の最良の形態は，次の通りである。すなわち，放射性セシウムが付着した土壌及びほだ木に対して，木，竹，又は草，又は野菜屑，又は落葉落枝の未分解の有機物を炭の製造過程で産出されるｐＨ５以下の木酢液又は竹酢液に５時間以上浸漬することで製造されるフルボ酸を土壌及びほだ木を希釈した溶液に浸潤させることにより，付着した放射性セシウムを抽出・分離することが可能となる。
【００２６】
除染された土壌及びほだ木は，再利用が可能である。また，フルボ酸によって抽出・分離された放射性セシウムは各種の吸着剤に吸着されることで，減容化及び容易に管理できる形態となる。
【実施例１】
【００２７】
次に，本発明の実施例を説明する。
図１（図２，３の番号の説明も含む）において，１は地表面，２は放射性セシウムにより汚染された土壌，３は散布装置，４はフルボ酸，５は土壌２に吸着している放射性セシウム，６は土壌の上層から下層に移行した放射性セシウムである。また，７は土壌２から抽出・分離された放射性セシウム，８は放射性セシウムにより汚染されたほだ木，９はフルボ酸溶液を入れる容器を示す。
フルボ酸４を放射性セシウム５に汚染された土壌２を散布装置３によって散布する。その結果として，汚染土壌２に吸着している放射性セシウム５がフルボ酸４によって，強固な吸着から抽出され，下層に移行した放射性セシウム６の状態となる。
フルボ酸の希釈率は浸潤性を高めるために２倍以上とし，浸潤させる時間は５時間以上とする。
なお，散水装置３については，人力，電動ポンプ，ヘリコプターによる散水を含む。
【００２８】
図２において，容器９の中にある放射性セシウム５に汚染された土壌２にフルボ酸４の希釈溶液を散布装置３によって散布する。その結果として，放射性セシウム５に汚染された土壌２からフルボ酸４のキレート効果によって，放射性セシウム５が強固な吸着から抽出され，抽出・分離された放射性セシウム７の状態となる。
フルボ酸４の希釈率は浸潤性を高めるために２倍以上とし，浸潤させる時間は５時間以上とする。
【００２９】
図３において，容器９の中に入れたフルボ酸４の溶液の中に，放射性セシウム５により汚染されたほだ木８をどっぷり漬け込んで浸潤させることによって，ほだ木８の放射性セシウム５を抽出・分離する。
フルボ酸４の希釈率は浸潤性を高める為に２倍以上とし，浸潤させる時間は５時間以上とする。
【００３０】
[効果確認試験]
層状ケイ酸塩鉱物を構成するカリウムを置換する形で構造中に取り込まれた形態であることから，強固にセシウムが結合して汚染された土壌サンプルを用いてフルボ酸による放射性セシウム抽出・分離できるかを放射能濃度測定システム（ＥＭＦ２１１[１００−２Ｌ−ＣＢ]）型ガンマ線スペクトロメーターによって確認した。
試験の方法は，直径１０ｃｍ・高さ１０ｃｍのプラスチック製の容器に５０％汚染土壌を充填し，その充填した土壌２に対してフルボ酸４の希釈液を添加して空の容器に浸潤して抽出された溶液の放射能濃度測定を行った。測定時間は，４８時間である。
汚染土壌２に蒸留水を浸潤して抽出した溶液の放射能濃度測定からは，放射性セシウムが検出されなかった。一方で，２倍に希釈したフルボ酸４を浸潤して抽出した溶液の放射能濃度測定からは，表１の点線囲みのように放射性セシウム検出の顕著なピークが確認できている。フルボ酸４から放射性セシウムが検出されないことから，汚染土壌２にフルボ酸４の希釈液を浸潤することで，放射性セシウムを抽出・分離できたと考えることができる。
（表１）  汚染土壌に２倍希釈したフルボ酸を浸潤した分析結果
2018004386.tif 000003
（表２）  汚染土壌に蒸留水を浸潤した分析結果
2018004386.tif 000004
（表３）  フルボ酸単独での分析結果
2018004386.tif 000005
【産業上の利用可能性】
【００３１】
本発明は，東京電力福島第一原子力発電所の事故により，周辺環境に飛散した放射性セシウムが付着した土壌及びほだ木を含む樹木に対して，木，竹，又は草，又は野菜屑，又は落葉落枝の未分解の有機物を，炭の製造過程で産出される極強酸性の有機酸である木酢液又は竹酢液に漬け込み，養生することによって製造されるフルボ酸を希釈した溶液に浸潤させることにより，放射性セシウムを過度な加湿や圧力などを与えず，低負荷ではぎ取ることを可能としたものである。また，フルボ酸自体が植物活性剤や土壌の団粒化等の効果があることから，除染処理後の土壌や樹木の再利用が可能である。
【符号の説明】
【００３２】
１…  地表面
２…  放射性セシウムに汚染された土壌
３…  散布装置
４…  フルボ酸
５…  土壌に吸着しているセシウム
６…  土壌の下層に移行したセシウム
７…  土壌の吸着から抽出・分離されたセシウム
８…  放射性セシウムにより汚染されたほだ木
９…  容器
【図１】
2018004386.tif 000006
【図２】
2018004386.tif 000007
【図３】
2018004386.tif 000008
【手続補正書】
【提出日】平成29年7月14日(2017.7.14)
【手続補正１】
【補正対象書類名】特許請求の範囲
【補正対象項目名】請求項５
【補正方法】変更
【補正の内容】
【請求項５】
放射性セシウムが付着した土壌及びほだ木に対して，木，竹，又は草，又は野菜屑，又は落葉落枝の未分解の有機物を，炭の製造過程で産出される極強酸性の有機酸である木酢液又は竹酢液に漬け込み，養生することによって製造されるフルボ酸を希釈した溶液を広範囲に散布することで放射性セシウムを表層の不安定層から下層の安定層へと移行できることを可能としたことを特徴とするフルボ酸を利用した放射性物質の除染方法。
【手続補正２】
【補正対象書類名】特許請求の範囲
【補正対象項目名】請求項６
【補正方法】変更
【補正の内容】
【請求項６】
放射性セシウムが付着した土壌及びほだ木に対して，木，竹，又は草，又は野菜屑，又は落葉落枝の未分解の有機物を，炭の製造過程で産出される極強酸性の有機酸である木酢液又は竹酢液に漬け込み，養生することによって製造されるフルボ酸を希釈した溶液に汚染されたほだ木を浸潤することで，植菌したキノコ類の菌糸が表面近くを張って放射性セシウムを吸収することを抑制できることを可能としたことを特徴とするフルボ酸を利用した放射性物質の除染方法。 
【手続補正３】
【補正対象書類名】明細書
【補正対象項目名】００１３
【補正方法】変更
【補正の内容】
【００１３】
本発明の第５は,フルボ酸を利用した放射性物質の除染方法において,放射性セシウムが付着した土壌及びほだ木に対して，木，竹，又は草，又は野菜屑，又は落葉落枝の未分解の有機物を，炭の製造過程で産出される極強酸性の有機酸である木酢液又は竹酢液に漬け込み，養生することによって製造されるフルボ酸を希釈した溶液を広範囲に散布することで放射性セシウムを表層の不安定層から下層の安定層へと移行できるようにしたものである。
【手続補正４】
【補正対象書類名】明細書
【補正対象項目名】００１４
【補正方法】変更
【補正の内容】
【００１４】
本発明の第６は,フルボ酸を利用した放射性物質の除染方法において,放射性セシウムが付着した土壌及びほだ木に対して，木，竹，又は草，又は野菜屑，又は落葉落枝の未分解の有機物を，炭の製造過程で産出される極強酸性の有機酸である木酢液又は竹酢液に漬け込み，養生することによって製造されるフルボ酸を希釈した溶液に汚染されたほだ木を浸潤することで，植菌したキノコ類の菌糸が表面近くを張って放射性セシウムを吸収することを抑制できるようにしたものである。